(57)【特許請求の範囲】
【請求項１】
配線器具が取着される器具取付孔が長手方向で横並びに複数設けられ、前記器具取付孔に取着される前記配線器具の後部を被取付部に設けた器具挿通孔に納めた状態で前記被取付部に取り付けられる横長の取付枠であって、
横長の矩形板状に形成された主片を有し、前記主片の幅方向における両端部には前面側に向かって突出する突片がそれぞれ折曲形成され、前記主片と各々の前記突片との連接部分には、前記器具挿通孔の前記長手方向に沿う両縁部にそれぞれ前面側から当接するように、前記主片の一部を切り起こして形成された当接部が設けられたことを特徴とする取付枠。
【請求項２】
請求項１記載の取付枠と、少なくとも１つのスイッチを含む複数の配線器具と、前記取付枠に取着されたスイッチの前面側に取着され押操作に応じてスイッチをオン／オフさせるハンドルと、当該ハンドルに対応する部位に開口が設けられ当該開口を通してハンドルを前面側に露出させた状態で前記取付枠に取着される化粧プレートとを備え、前記ハンドルの前面は、前記スイッチの機能面よりも大きい寸法に形成され、前記化粧プレートに、当該化粧プレートに対して前記取付枠を位置決めする位置決め部を設けたことを特徴とする配線装置。
【請求項３】
前記化粧プレートの前記開口端縁に後面側に向かって突出する突出部を設けたことを特徴とする請求項２記載の配線装置。
【発明の詳細な説明】
【技術分野】
【０００１】
本発明は、取付枠およびそれを用いた配線装置に関するものである。
【背景技術】
【０００２】
従来より、台所家具などに取着される配線装置が提供されている（例えば特許文献１参照）。この配線装置は横長の略矩形板状の金属取付枠を有し、この金属取付枠にはスイッチやコンセントなどが長手方向に沿って横並びに取着され、さらに金属取付枠の前面には合成樹脂製の化粧プレートが取着されている。
【０００３】
また、図８に示すように上記スイッチとして入／切スイッチ７を取付枠に取着した配線装置Ａ’も提供されている。
【特許文献１】特開平６−７６６７８号公報（段落［０００７］−段落［００１２］、及び、第１図）
【発明の開示】
【発明が解決しようとする課題】
【０００４】
上述した前者の特許文献１に示した配線装置や後者の図８に示した配線装置Ａ’では、スイッチの操作部（例えば、入／切スイッチ７の操作部７０など）が小さいため、スイッチ操作が不便であった。また、特許文献１に示した配線装置では、図９に示すように取付枠３の長手方向に沿う両端部が強度アップのため前面側に折り曲げられているので、寸法Ｌ３（取付枠３の取付台６との当接端部から取付台６の器具挿通孔６１の端縁までの距離）が小さくなっている。したがって、取付枠３を取付台６に取着する際に、取付台６の器具挿通孔６１に取付枠３の曲げ部がかかった状態で取着される可能性があり、コンセントにプラグを接続する際やスイッチ操作時に取付枠３の曲げ部に無理な力が加えられる可能性があった。
【０００５】
本発明は上記問題点に鑑みて為されたものであり、その目的とするところは、変形を防止するとともにスイッチの操作性を向上させた取付枠およびそれを用いた配線装置を提供することにある。
【課題を解決するための手段】
【０００６】
請求項１の発明は、配線器具が取着される器具取付孔が長手方向で横並びに複数設けられ、器具取付孔に取着される配線器具の後部を被取付部に設けた器具挿通孔に納めた状態で被取付部に取り付けられる横長の取付枠であって、横長の矩形板状に形成された主片を有し、主片の幅方向における両端部には前面側に向かって突出する突片がそれぞれ折曲形成され、主片と各々の突片との連接部分には、器具挿通孔の長手方向に沿う両縁部にそれぞれ前面側から当接するように、主片の一部を切り起こして形成された当接部が設けられたことを特徴とする。
【０００７】
請求項２の発明は、請求項１記載の取付枠と、少なくとも１つのスイッチを含む複数の配線器具と、取付枠に取着されたスイッチの前面側に取着され押操作に応じてスイッチをオン／オフさせるハンドルと、当該ハンドルに対応する部位に開口が設けられ当該開口を通してハンドルを前面側に露出させた状態で取付枠に取着される化粧プレートとを備え、ハンドルの前面は、スイッチの機能面よりも大きい寸法に形成され、化粧プレートに、当該化粧プレートに対して取付枠を位置決めする位置決め部を設けたことを特徴とする。
【０００８】
請求項３の発明は、化粧プレートの開口端縁に後面側に向かって突出する突出部を設けたことを特徴とする。
【発明の効果】
【０００９】
請求項１の発明によれば、取付枠を被取付部に取り付ける際に、当接部が被取付部に設けた器具挿通孔の長手方向に沿う両縁部に当接することによって、取付枠を後方に押す力が加わった場合でも、その力を当接部が受けることで曲げ部に無理な力が加わることがなく、取付枠の変形を防止することができるという効果がある。
【００１０】
請求項２の発明によれば、スイッチの機能面よりも大きい寸法に形成されたハンドルをスイッチの前面側に取着しているので、従来例と比較してスイッチを押操作する際の操作部を大きくすることができ、スイッチの操作性を向上させることができるという効果がある。また、化粧プレートを取付枠に組み付ける際に、位置決め部に合わせて取付枠に組み込めばいいので化粧プレートを取付枠に容易に取付けることができ、さらに組み付け後においても位置決め部により取付枠に対する化粧プレートの位置が規制されるので、ハンドルと化粧プレートの開口との相対的な位置合わせが正確に行え、ハンドルを押操作する際にハンドルが化粧プレートに擦れるのを防止することができるという効果がある。
【００１１】
請求項３の発明によれば、化粧プレートの開口端縁に後面側に突出する突出部を設けることによって、ハンドルを押した際の化粧プレートの開口とハンドルとの間の隙間を小さくでき、内部が見えにくい配線装置を提供することができるという効果がある。
【発明を実施するための最良の形態】
【００１２】
本発明の実施形態を図１〜図７に基づいて説明する。本実施形態の配線装置Ａは、例えばスイッチ１により負荷への電源供給をオン／オフしたり、コンセント２により負荷へ電源供給を行うために用いられるものである。なお、以下の説明では特に断りがない限り、図２中の矢印ａ−ｂの方向を前後方向、矢印ｃ−ｄの方向を上下方向、矢印ｅ−ｆの方向を左右方向として説明を行う。
【００１３】
配線装置Ａは、図２に示すようにスイッチ１（本実施形態では２個）およびコンセント２（本実施形態では１個）と、スイッチ１およびコンセント２が取着される取付枠３と、取付枠３に取着されたスイッチ１の前面側に取着されるハンドル４と、取付枠３の前面側に取着される化粧プレート５とを備えている。
【００１４】
スイッチ１は、例えば合成樹脂製であって略直方体状の器具本体１０を有し、器具本体１０の前面の右寄りには押圧操作により内部接点（図示せず）のオン／オフが交互に切り替わる押釦ハンドル１１が配置され、さらに前面の左端部にはハンドル４を軸支するための一対の軸部１２、１２が突設されている。また、器具本体１０の左右両側壁の前面寄りには、一対の嵌合突起１３、１３がそれぞれ突設されており、さらに前面の右端部には係止溝１４が設けられている。
【００１５】
コンセント２は、例えば合成樹脂製であって略直方体状の器具本体２０を有し、器具本体２０の前面側にはプラグの一対の栓刃（図示せず）が挿入される一対の栓刃挿入口２１、２１が設けられ、さらに器具本体２０の左右両側壁の前面寄りには嵌合溝２２がそれぞれ設けられている。ここに、各スイッチ１またはコンセント２がそれぞれ配線器具を構成しており、各スイッチ１の前面およびコンセント２の前面により機能面が構成されている。なお、スイッチ１およびコンセント２については従来周知のものを採用しており、詳細な説明は省略する。
【００１６】
取付枠３は、例えば金属製であって図１に示すように横長の略矩形板状の主片３０を有し、主片３０の上下両端部には前面側に向かって突出する突片３１、３１がそれぞれ一体に折曲形成されている。また、主片３０には、２個の略矩形状の器具取付孔３２および１個の略矩形状の器具取付孔３４が左右方向に沿って横並びに貫設され、さらに左右両端側の上部には切欠部３７、３７がそれぞれ設けられている。さらに、主片３０と各突片３１との間の曲げ部には、図５に示すように長手方向（図５中の左右方向）に沿って所定の間隔で嵌合孔３０ｂが複数（本実施形態では８個）貫設されている。なお、主片３０の左右両端側には、取付台６に固定するための固定ねじ（図示せず）が挿通されるねじ挿通孔３０ａがそれぞれ貫設されている。
【００１７】
さらに、各器具取付孔３２の左右両側には、図１に示すように後面側に突出する器具取付片３３が主片３０の一部を切り起こしてそれぞれ形成され、各器具取付片３３には上述したスイッチ１の一対の嵌合突起１３、１３が嵌合する一対の嵌合孔３３ａ、３３ａがそれぞれ貫設されている。一方、器具取付孔３４の左側の開口端縁には嵌合片３５が突設され、さらに右側の開口端縁には、一対の連結片３６ａ、３６ａを介して主片３０に連結された嵌合片３６が突設されるとともに、嵌合片３６の周囲には略Ｃ字型の操作孔３９が貫設されている。
【００１８】
ここにおいて、本実施形態の取付枠３は、図１に示すように取付台６（被取付部）に取着される。この取付台６は、横長の略矩形板状の本体部６０を有し、本体部６０の中央部には横長の器具挿通孔６１が貫設されている。この器具挿通孔６１は、取付枠３に取着された３個の配線器具（２個のスイッチ１および１個のコンセント２）の後部側を収納できる大きさに形成されている。一方、取付枠３には、取付台６の器具挿通孔６１の長手方向（図１（ａ）中の左右方向）に沿う両縁部に対応する部位に、後面側に向かって突出する複数（本実施形態では上下各３個ずつ）の当接リブ３８が主片３０の一部を切り起こして形成され、取付枠３を取付台６に取着した状態では各当接リブ３８がそれぞれ対応する器具挿通孔６１の縁部に当接するようになっている。なお、本実施形態では、左側のねじ挿通孔３０ａと器具取付孔３２の間、隣接する器具取付孔３２、３２間、および、器具取付孔３２と器具取付孔３４の間にそれぞれ当接リブ３８が設けられている。ここに、当接リブ３８により当接部が構成されている。
【００１９】
ここで、取付枠３の幅寸法（上下方向の寸法）Ｌ１＝３５．８ｍｍ、取付台６の器具挿通孔６１の上下方向の寸法Ｌ２＝３２ｍｍ、取付枠３の板厚を１．２ｍｍとすると、当接リブ３８を設けていない従来例では、図９（ｃ）に示すように主片３０の取付台６との当接端部から器具挿通孔６１の下端縁までの寸法Ｌ３が小さくなり（Ｌ３＝０．７ｍｍ）、取付枠３を取付台６に取着する際に器具挿通孔６１に上記曲げ部がかかった状態で取着される場合がある。そしてこの場合、スイッチ１の操作時やコンセント２にプラグを接続する際に取付枠３の曲げ部に無理な力が加えられ、その結果取付枠３が変形する可能性がある。一方、本実施形態の取付枠３では、当接リブ３８を下方に垂下させることによって、図１（ｄ）に示すように当接リブ３８の下端縁から器具挿通孔６１の下端縁までの寸法Ｌ４を長くとることができ（Ｌ４＝１．９ｍｍ）、当接リブ３８を器具挿通孔６１の孔縁に当接させることができる。そして、当接リブ３８を器具挿通孔６１の孔縁に当接させることによって、スイッチ１の操作時やコンセント２にプラグを接続する際に取付枠３を後方に押す力が加わった場合でも、その力を当接リブ３８で受けることで取付枠３の曲げ部に無理な力が加わることがなく、取付枠３の変形を防止することができる。
【００２０】
ハンドル４は、例えば合成樹脂製であって図２に示すように後面側が開口する略矩形状のハンドル本体４０を有し、ハンドル本体４０の前面はスイッチ１の機能面（前面）よりも大きい寸法に形成されている。また、ハンドル本体４０の後面側の右寄りには、スイッチ１に設けた係止溝１４に係止される係止片４２が突設され、後面側の左寄りにはスイッチ１に設けた一対の軸部１２、１２が軸支される軸受部４１が設けられている。さらに、ハンドル本体４０の前面側の右寄りには、押圧箇所を表示する突起４３が設けられており、突起４３の部位を押すことによってスイッチ１がオン／オフされるようになっている。
【００２１】
而して、本実施形態のハンドル４では、ハンドル本体４０の前面をスイッチ１の機能面よりも大きい寸法に形成しているので、従来例と比較してスイッチ１を押操作する際の操作部を大きくすることができ、スイッチ１の操作性を向上させることができる。
【００２２】
化粧プレート５は、例えば合成樹脂製であって図２および図３に示すように外周縁から後方に向かって側部５５が突設された横長の略矩形板状のプレート本体５０を有し、プレート本体５０において各ハンドル４に対応する部位にはハンドル４を前面側に露出させる略矩形状の開口窓５１がそれぞれ設けられ、またコンセント２の機能面（前面）に対応する部位には当該機能面を前面側に露出させる略矩形状の開口窓５２が設けられている。なお、開口窓５１はハンドル本体４０の外形寸法よりもわずかに大きく形成され、また開口窓５２はコンセント２の機能面の外形寸法と略同寸法に形成されている。ここに、開口窓５１によりハンドルの開口が構成されている。
【００２３】
さらに、図４および図５に示すように、プレート本体５０の後面側において左右両端側の上部には、取付枠３の各切欠部３７にそれぞれ係合する略Ｌ字型の位置決め突起５３が突設されており、各位置決め突起５３を対応する切欠部３７にそれぞれ係合させることによって化粧プレート５が取付枠３に位置決めされる。而して、本実施形態の化粧プレート５を取付枠３に組み付ける際に、各位置決め突起５３をそれぞれ対応する取付枠３の切欠部３７に合わせて組み込めばいいので化粧プレート５を取付枠３に容易に取り付けることができ、さらに組み付け後においても位置決め突起５３により取付枠３に対する化粧プレート５の位置が規制されるので、ハンドル４と開口窓５１とが相対的に位置決めされ、ハンドル４を押圧操作した際にハンドル本体４０が化粧プレート５の開口窓５１の端縁で擦れるのを防止することができる。なお、上下に設けられた各側部５５において取付枠３の上記各嵌合孔３０ｂに対応する部位には嵌合突起５６がそれぞれ設けられており、各嵌合突起５６を対応する嵌合孔３０ｂにそれぞれ嵌合させることによって、化粧プレート５が取付枠３に取着されるようになっている。ここに、上記位置決め突起５３により位置決め部が構成されている。
【００２４】
また、図７に示すように、プレート本体５０において各開口窓５１の端縁には、後面側に向かって突出する突出部５４が全周に渡って設けられている。ここで、突出部５４を設けていない場合には、図６に示すようにハンドル４を押圧操作した際のプレート本体５０の開口窓５１とハンドル４との間の隙間Ｌ５が大きくなり（図６（ｂ）参照）、装置内部が見えてしまう。一方、本実施形態のように突出部５４を設けた場合には、ハンドル４を押圧操作した際の開口窓５１とハンドル４との間の隙間を突出部５４により小さくでき（図７（ｂ）参照）、装置内部が見えにくい配線装置Ａを提供することができる。
【００２５】
次に、配線装置Ａの施工手順について図１〜図３に基づいて説明する。まず、スイッチ１およびコンセント２を取付枠３に取着する。このとき、スイッチ１については、器具本体１０の左右両側壁にそれぞれ設けた一対の嵌合突起１３、１３を対応する器具取付片３３の一対の嵌合孔３３ａ、３３ａに嵌合させると、機能面（すなわち、押釦ハンドル１１が配置されている面）を器具取付孔３２から前面側に露出させた状態で取付枠３に取着される。また、コンセント２については、器具本体２０の左側の嵌合溝２２に嵌合片３５を嵌合させた状態から取付枠３の器具取付孔３４の右側に設けた操作孔３９に、例えばマイナスドライバーなどの工具の先端部を挿入して両連結片３６ａ、３６ａを塑性変形させると、嵌合片３６が器具本体２０側（すなわち、図２中の左側）に移動するとともに右側の嵌合溝２２に嵌合し、コンセント２が取付枠３に取着される。なお、このときコンセント２の機能面（すなわち、栓刃挿入口２１、２１が設けられている面）は器具取付孔３４を通して前面側に露出される。
【００２６】
その後、取付枠３に取着された各スイッチ１の前面側にそれぞれハンドル４を取着する。このとき、ハンドル４は、左側の軸受部４１にスイッチ１に設けた一対の軸部１２、１２を軸支するとともに、右側の係止片４２をスイッチ１に設けた係止溝１４に係止させるとスイッチ１に取着される。なお、このハンドル４は、取付状態において軸受部４１側を支点として器具本体１０に対して所定のストロークの範囲内で回動自在になっている。
【００２７】
次に、配線（図示せず）をスイッチ１およびコンセント２にそれぞれ接続した後、取付枠３に取着されたスイッチ１およびコンセント２の後部側を取付台６の器具挿通孔６１内に納めた状態で取付枠３を取付台６の前面側に配置する。その後、各ねじ挿通孔３０ａにそれぞれ固定ねじを挿通するとともに取付台６に螺合させると、取付枠３が取付台６に取着される。なお、このとき取付枠３の各当接リブ３８は、器具挿通孔６１の長手方向に沿う縁部にそれぞれ当接している。
【００２８】
そして、最後に化粧プレート５を取付枠３に取着すると配線装置Ａの施工が完了する。このとき、化粧プレート５に設けた各位置決め突起５３を取付枠３の対応する切欠部３７にそれぞれ係合させることによって化粧プレート５が取付枠３に位置決めされ、また化粧プレート５に設けた各嵌合突起５６を取付枠３の対応する嵌合孔３０ｂにそれぞれ嵌合させることによって化粧プレート５が取付枠３に取着される。なおこのとき、各スイッチ１に取着されたハンドル４はそれぞれ対応する開口窓５１を通して前面側に露出し、コンセント２の前面側に設けられた栓刃挿入口２１、２１は開口窓５２を通して前面側に露出している。
【００２９】
なお、本実施形態では、左側のねじ挿通孔３０ａと器具取付孔３２の間、隣接する器具取付孔３２、３２間、および、器具取付孔３２と器具取付孔３４の間にそれぞれ当接リブ３８を設けているが、当接リブの位置および個数は本実施形態に限定されるものではなく、器具挿通孔６１の長手方向に沿う縁部に当接するように設けられていればよい。
【００３０】
また、本実施形態では、配線器具としてスイッチ１を２個、コンセント２を１個用いた場合を例に説明したが、配線器具としてスイッチを少なくとも１個用いていればよく、本実施形態に限定されない。さらに、スイッチ以外の配線器具を併用する場合において、併用する配線器具はコンセントに限定されるものではなく、使用目的などに応じて適宜選択してもよい。また、用いる配線器具の個数についても３個に限定されるものではなく、２個や４個以上であってもよい。
【００３１】
さらに、本実施形態では、突出部５４を開口窓５１の全周に渡って形成しているが、突出部５４は少なくともハンドル４が押圧される側、すなわち図３（ｂ）中の右側の部位に設けられていればよく、同様に装置内部が見えにくい配線装置Ａを提供することができる。
【図面の簡単な説明】
【００３２】
【図１】本実施形態の配線装置に用いられる取付枠を示し、（ａ）は正面図、（ｂ）は下面図、（ｃ）はＢ−Ｂ側から見た断面図、（ｄ）はＣ部詳細図である。
【図２】同上の分解斜視図である。
【図３】（ａ）は同上の斜視図、（ｂ）は同上の正面図である。
【図４】同上に用いられる化粧プレートの取付枠への取付状態を説明する説明図である。
【図５】同上に用いられる化粧プレートの取付枠への取付状態を説明する別の説明図である。
【図６】同上に用いられる化粧プレートとハンドルとの位置関係を示し、（ａ）は断面図、（ｂ）はＤ部詳細図である。
【図７】同上に用いられる別の化粧プレートとハンドルとの位置関係を示し、（ａ）は断面図、（ｂ）はＥ部詳細図である。
【図８】従来例の配線装置の正面図である。
【図９】同上の別の配線装置に用いられる取付枠を示し、（ａ）は一部破断せる正面図、（ｂ）はＦ−Ｆ側から見た断面図、（ｃ）はＧ部詳細図である。
【符号の説明】
【００３３】
１  スイッチ（配線器具）
２  コンセント（配線器具）
３  取付枠
６  取付台（被取付部）
３０  主片
３１  突片
３２  器具取付孔
３４  器具取付孔
３８  当接リブ（当接部）
６１  器具挿通孔
【図１】
0005086825.tif 000002
【図２】
0005086825.tif 000003
【図３】
0005086825.tif 000004
【図４】
0005086825.tif 000005
【図５】
0005086825.tif 000006
【図６】
0005086825.tif 000007
【図７】
0005086825.tif 000008
【図８】
0005086825.tif 000009
【図９】
0005086825.tif 000010